(57)【要約】【課題】従来のリクライニングチェアを使用時には相当のスペースを取ってしまうが、使用後には背もたれ部や脚保持部を折り畳んで移動させる作業は面倒である。そこで本発明では背もたれ部や脚保持部を折り畳んで移動させることを自動で行なうことができるリクライニングチェア格納具を提供する。【解決手段】リクライニングチェア格納具は、リクライニングチェアを床に設置する為のリクライニングチェア格納具床側設置部と、該格納具床側設置部の上に設置されてリクライニングチェアをスライドさせるスライド部と、格納具壁側設置部と、該格納具壁側設置部に固定される格納具固定部と、下部に固定する下部嵌合部と該格納具固定部上部に嵌合する上部嵌合部と、リクライニングチェアの頭の部分を該上部嵌合部に固定する頭支持部と、リクライニングチェアを部屋の壁側に引き戻す引き戻し部と、該引き戻し部と該上部嵌合部を嵌合する上部嵌合部接合部と、により構成する。【選択図】図１
2014039677.tif 000002
【特許請求の範囲】
【請求項１】
リクライニングチェアを移動させる為のリクライニングチェア格納具であって、
前記リクライニングチェア格納具は、
リクライニングチェアを床に設置する為のリクライニングチェア格納具床側設置部と、
前記リクライニングチェア格納具床側設置部の上に設置されて、リクライニングチェアをスライドさせる、スライド部と、
前記リクライニングチェア格納具床側設置部に垂直方向に設置された基板であるリクライニングチェア格納具壁側設置部と
前記リクライニングチェア格納具を前記格納具壁側設置部に固定するリクライニングチェア格納具固定部と、
前記リクライニングチェア格納具を前記格納具壁側設置部の上部に嵌合して、前記格納具固定部を上下に移動する上部嵌合部と、
前記リクライニングチェアの頭の部分を前記上部嵌合部に固定するリクライニングチェアの頭支持部と、を有することを特徴とするリクライニングチェア格納具。
【請求項２】
リクライニングチェアを移動させる為のリクライニングチェア格納具の収納方法であって、
前記リクライニングチェア格納具を床に設置する工程と、
前記リクライニングチェアを床に垂直方向に設置された基板である格納具の壁側設置部の上部に固定する工程と、
前記リクライニングチェアを前記リクライニングチェア格納具の床側設置部の上に設置し、リクライニングチェアをスライドさせる工程と、
前記リクライニングチェア格納具を格納具壁側設置部に固定するリクライニングチェア格納具固定部を格納具壁側設置部に設置する工程と、
リクライニングチェアの頭支持部を前記格納具壁側設置部の上部に嵌合される上部嵌合部に固定する工程と、を有することを特徴とするリクライニングチェアの格納方法。
【請求項３】
請求項１に記載のリクライニングチェア格納具において、
前記スライド部は、抵抗値の小さい滑車を利用したスライド部であって、前記リクライニングチェアはリクライニングチェアを戻す力を利用して、リクライニングチェアを部屋の壁側に戻す機能を有することを特徴とするリクライニングチェア格納具。
【請求項４】
リクライニングチェアを移動させる為のリクライニングチェア格納具であって、
前記リクライニングチェア格納具は、
前記リクライニングチェア格納具を床に設置する為のリクライニングチェア格納具床側設置部と、
前記リクライニングチェア格納具床側設置部の上に設置されて、リクライニングチェアをスライドさせる、スライド部と、
前記リクライニングチェア格納具床側設置部に垂直方向に設置された基板であるリクライニングチェア格納具壁側設置部と
前記リクライニングチェア格納具を設置する前記リクライニングチェア格納具壁側設置部の下部に固定する下部嵌合部と、
前記リクライニングチェア格納具を設置する前記リクライニングチェア格納具壁側設置部の上部に固定する上部嵌合部と、
前記リクライニングチェアを使用後に、前記リクライニングチェアを部屋の壁側に引き戻す前記リクライニングチェア引き戻し部と、
前記リクライニングチェア格納具を前記格納具壁側設置部に固定するリクライニングチェア格納具固定部と、
前記リクライニングチェアの頭の部分を前記上部嵌合部に固定するリクライニングチェアの頭支持部と、
前記リクライニングチェア引き戻し部と前記上部嵌合部を嵌合する上部嵌合部接合部と、を有することを特徴とするリクライニングチェア格納具。
【請求項５】
リクライニングチェアを移動させる為のリクライニングチェア格納具の収納方法であって、
前記リクライニングチェア格納具を床に設置する工程と、
前記リクライニングチェア格納具を床に垂直方向に設置された基板である格納具壁側設置部の下部に固定する工程と、
前記リクライニングチェアの頭の部分を前記格納具壁側設置部の上部に固定する工程と、
前記リクライニングチェア格納具の床側設置部の上に設置し、リクライニングチェアをスライドさせる工程と、
前記リクライニングチェア格納具を格納具壁側設置部に固定するリクライニングチェア格納具固定部を前記格納具壁側設置部に設置する工程と、
前記リクライニングチェアを使用した後に部屋の壁側に引き戻す前記リクライニングチェア引き戻し部を、前記部屋壁固定部に設置する工程と、
格納具壁側設置部の上部に嵌合される上部嵌合部に固定するリクライニングチェアの頭支持部と、前記リクライニングチェア引き戻し部とを、前記上部嵌合部に嵌合する工程と、を有することを特徴とするリクライニングチェアの格納方法。
【発明の詳細な説明】
【技術分野】
【０００１】
本発明は、市販されているリクライニングチェアの移動装置に関する。
【背景技術】
【０００２】
近年、健康志向に伴い家庭用マッサージ機が普及し、家庭でマッサージ機を利用する人が増えている。従来は、リクライニングチェアを使用中は相当のスペースを取っており、リクライニングチェアを使用後に背もたれ部や足を保持する部分を収納する作業は面倒であった。
【０００３】
従来リクライニングチェアを使用しているときには、リクライニング時に該リクライニングチェアの背面が後ろに倒れる分を考慮して、リクライニングチェアの背面側にその分の空間を空けて設置する必要があり、相当のスペースを取ってしまい、使用後およびリクライニングしない時には、該リクライニングチェアの背面側のリクライニングする為の空間を狭めるためには、背もたれ部や足保持部を折りたたんで、移動させる必要がある。
しかしリクライニングチェアは相当の重量があり、使用後に背もたれ部や足保持部を折りたたんで、移動させる作業は面倒である。そこで、背もたれ部や足保持部を折りたたんで、移動させることを自動で行なうことができれば、便利である。
【０００４】
しかしながら、従来技術としては、リクライニングチェア本体に関する技術としては開示されているものの、リクライニングチェア格納具については、現在のところ、見当たらない。
【先行技術文献】
【特許文献】
【０００５】
【特許文献１】特開２００１−１３７０６０
【発明の概要】
【発明が解決しようとする課題】
【０００６】
そこで、発明者はリクライニングしていない時にはリクライニングチェア裏側の無駄になっているスペースを、該リクライニングチェア裏側の方向にリクライニングチェアを移動させることにより、リクライニングしない時にはリクライニングチェア本体を部屋の壁面に近づけて、リクライニングチェア本体の前の空間を広げられる事を可能とするリクライニングチェアを格納するための格納具があれば便利であると考えた。
【課題を解決するための手段】
【０００７】
第１の発明は、
リクライニングチェアを移動させる為のリクライニングチェア格納具であって、
前記リクライニングチェア格納具は、
リクライニングチェアを床に設置する為のリクライニングチェア格納具床側設置部と、
前記リクライニングチェア格納具床側設置部の上に設置されて、リクライニングチェアをスライドさせる、スライド部と、
前記リクライニングチェア格納具床側設置部に垂直方向に設置された基板であるリクライニングチェア格納具壁側設置部と
前記リクライニングチェア格納具を前記格納具壁側設置部に固定するリクライニングチェア格納具固定部と、
前記リクライニングチェア格納具を前記格納具壁側設置部の上部に嵌合して、前記格納具固定部を上下に移動する上部嵌合部と、
前記リクライニングチェアの頭の部分を前記上部嵌合部に固定するリクライニングチェアの頭支持部と、を有することを特徴とする。
【０００８】
第２の発明は、
リクライニングチェアを移動させる為のリクライニングチェア格納具の収納方法であって、
前記リクライニングチェア格納具を床に設置する工程と、
前記リクライニングチェアを床に垂直方向に設置された基板である格納具の壁側設置部の上部に固定する工程と、
前記リクライニングチェアを前記リクライニングチェア格納具の床側設置部の上に設置し、リクライニングチェアをスライドさせる工程と、
前記リクライニングチェア格納具を格納具壁側設置部に固定するリクライニングチェア格納具固定部を格納具壁側設置部に設置する工程と、
リクライニングチェアの頭支持部を前記格納具壁側設置部の上部に嵌合される上部嵌合部に固定する工程と、を有することを特徴とする。
【０００９】
第３の発明は、
請求項１に記載のリクライニングチェア格納具に係り、
前記スライド部は、抵抗値の小さい滑車を利用したスライド部であって、前記リクライニングチェアはリクライニングチェアを戻す力を利用して、リクライニングチェアを部屋の壁側に戻す機能を有することを特徴とする。
【００１０】
第４の発明は、
リクライニングチェアを移動させる為のリクライニングチェア格納具であって、
前記リクライニングチェア格納具は、
前記リクライニングチェア格納具を床に設置する為のリクライニングチェア格納具床側設置部と、
前記リクライニングチェア格納具床側設置部の上に設置されて、リクライニングチェアをスライドさせる、スライド部と、
前記リクライニングチェア格納具床側設置部に垂直方向に設置された基板であるリクライニングチェア格納具壁側設置部と
前記リクライニングチェア格納具を設置する前記リクライニングチェア格納具壁側設置部の下部に固定する下部嵌合部と、
前記リクライニングチェア格納具を設置する前記リクライニングチェア格納具壁側設置部の上部に固定する上部嵌合部と、
前記リクライニングチェアを使用後に、前記リクライニングチェアを部屋の壁側に引き戻す前記リクライニングチェア引き戻し部と、
前記リクライニングチェア格納具を前記格納具壁側設置部に固定するリクライニングチェア格納具固定部と、
前記リクライニングチェアの頭の部分を前記上部嵌合部に固定するリクライニングチェアの頭支持部と、
前記リクライニングチェア引き戻し部と前記上部嵌合部を嵌合する上部嵌合部接合部と、を有することを特徴とする。
【００１１】
第５の発明は、
リクライニングチェアを移動させる為のリクライニングチェア格納具の収納方法であって、
前記リクライニングチェア格納具を床に設置する工程と、
前記リクライニングチェア格納具を床に垂直方向に設置された基板である格納具壁側設置部の下部に固定する工程と、
前記リクライニングチェアの頭の部分を前記格納具壁側設置部の上部に固定する工程と、
前記リクライニングチェア格納具の床側設置部の上に設置し、リクライニングチェアをスライドさせる工程と、
前記リクライニングチェア格納具を格納具壁側設置部に固定するリクライニングチェア格納具固定部を前記格納具壁側設置部に設置する工程と、
前記リクライニングチェアを使用した後に部屋の壁側に引き戻す前記リクライニングチェア引き戻し部を、前記部屋壁固定部に設置する工程と、
格納具壁側設置部の上部に嵌合される上部嵌合部に固定するリクライニングチェアの頭支持部と、前記リクライニングチェア引き戻し部とを、前記上部嵌合部に嵌合する工程と、を有することを特徴とする。
【発明の効果】
【００１２】
本発明に係るリクライニングチェア格納具によればリクライニングチェアを部屋に設置する際に、リクライニングチェアの背面側にリクライニングする為の余分の空間を設ける必要がなくリクライニングチェアの後ろのスペースを小さくすることができ、部屋空間を有効に利用できる。また、本発明に係るリクライニングチェア格納具によればリクライニングチェアを購入する人々が増え、リクライニングチェアの増産につながる。
【図面の簡単な説明】
【００１３】
【図１】図１は本発明に係るリクライニングチェア格納具の実施の形態１を示す簡略側面図（部屋の床及び部屋の壁のみ断面図）である。
【図２】図２は本発明に係るリクライニングチェア格納具の実施の形態１を示す簡略側面図（部屋の床及び部屋の壁のみ断面図）である。
【図３】図３は本発明に係るリクライニングチェア格納具の実施の形態２を示す簡略側面図（部屋の床及び部屋の壁のみ断面図）である。
【図４】図４は本発明に係るリクライニングチェア格納具の実施の形態２を示す簡略側面図（部屋の床及び部屋の壁のみ断面図）である。
【図５】図５は本発明に係るリクライニングチェア格納具の簡略正面図（部屋の床のみ断面図）である。
【図６】図６は本発明に係るリクライニングチェア格納具の簡略斜視図である。
【発明を実施するための形態】
【００１４】
以下、本発明の実施の形態を図面を参照しながら説明する。
【実施の形態１】
【００１５】
図１は本発明に係るリクライニングチェア格納具の実施の形態１を示す簡略側面図（部屋の床及び部屋の壁のみ、図５のＡ−Ａ線断面図）である。
図１において、１０１は本発明に係るリクライニングチェアの右側部であり、１０８は本発明に係るリクライニングチェアの左側部であり、１０２は本発明に係るリクライニングチェアの背もたれ部であり、１０３は本発明に係るリクライニングチェアの袖部であり、
１０４は本発明に係るリクライニングチェアの座面部であり、１０５は本発明に係るリクライニングチェアの脚保持部である。
１０７は部屋の壁であり、１１２は上部嵌合部上ピンであり、１１１は上部嵌合部中ピンであり、１１３は上部嵌合部下ピンであり、１１５はリクライニングチェア格納具固定部であり、１１７は上部嵌合部であり、１２０は部屋の床であり、１２１はリクライニングチェア格納具床スライド用壁側滑車部であり、１２２はリクライニングチェア格納具床スライド用脚保持部側滑車部である。なお図1及び図2において１２１および１２２は滑車部であるが、図のような車輪でなくサイドガードのスライドレールであってもよい。
１２３はリクライニングチェアの頭支持部であり、１２４は頭支持部固定ピンであり、１２５はリクライニングチェア格納具スライド部であり、１２７は格納具の床側設置部であり、１２８は格納具の壁側設置部である。格納具の壁側設置部１２８はリクライニングチェア格納具のＬ状基板のうち部屋の壁１０７と略平行に設置する基板であり、格納具の床側設置部１２７は、部屋の床１２０と略平行に設置する基板である。また、１００は本発明に係るリクライニングチェア格納具全体であり、１０９はリクライニングチェア全体を示す。該リクライニングチェア１０９はリクライニング機能を持つマッサージチェアである。
【００１６】
本発明に係るリクライニングチェアの側部１０１は、リクライニングチェアを使用するものを側部から支えるものであり，リクライニングチェアの側部１０８は、本発明に係るリクライニングチェアの側部１０１と同様に反対の側面からリクライニングチェアを使用する者を側部から支えるものであり、リクライニングチェアーの背もたれ部１０２はリクライニングチェアーの背もたれ部であり、リクライニングチェアを使用する者の背中を支えるものであり、リクライニングチェアーの袖部１０３はリクライニングチェアを使用する者の腕を支えるものであり、リクライニングチェアーの座面部１０４はリクライニングチェアを使用する者のお尻の部分を保持するものであり、リクライニングチェアーの脚保持部１０５はクライニングチェアを使用する者の足を保持し、場合によってはクライニングチェアを使用する者の足をマッサージするものである。また、リクライニングチェア１０９の背もたれ部１０２と座面部１０４はクライニングチェアを使用する者の体を必要に応じてマッサージするものである。
部屋の壁１０７はリクライニングチェアが設置されている部屋の壁であり、１１５はリクライニングチェア格納具固定部であり、１１５はリクライニングチェア格納具１００の壁側設置部１２８に固定されている。上部嵌合部上ピン１１２は、リクライニングチェア格納具固定部１１５に設置されている上部嵌合部１１７の上ピンであり、同様に上部嵌合部中ピン１１１は上部嵌合部１１７の中ピンであり、上部嵌合部下ピン１１３は上部嵌合部１１７に設置されている下ピンである。
上部嵌合部１１７は、上部嵌合部上ピン１１２、上部嵌合部中ピン１１１、上部嵌合部下ピン１１３によって、リクライニングチェア格納具固定部１１５上に略90度に可動状態を保ちつつ嵌合され、リクライニングチェア格納具固定部１１５上を安定して上下に移動することができる。該リクライニングチェアを使用中及び／又は使用後に部屋の壁側に引き戻す際に、上部嵌合部１１７は該固定部１１５上を上下に移動することにより、該リクライニングチェアは水平方向に壁側へスライドすることができる。
図２は本発明に係るリクライニングチェア格納具の実施の形態１を示す簡略側面図（部屋の床及び部屋の壁のみ、図５のＡ−Ａ線断面図）であり、図１に示される本発明に係るリクライニングチェア格納具のリクライニングチェアのリクライニングを戻した状態を示す。なお、図１及び図２に示されるリクライニングチェア及びリクライニングチェア格納具は、例示であって形状はこれに限定されるものではない。
部屋の床１２０は、リクライニングチェア格納具が設置されている部屋の床であり、１２５はリクライニングチェア格納具スライド部であり、リクライニングチェア格納具床スライド用壁側滑車部１２１と、リクライニングチェア格納具床スライド用脚保持部側滑車部１２２は、リクライニングチェア格納具スライド部１２５内に設置される。リクライニングチェア格納具床スライド用壁側滑車部１２１及びスライド用脚保持部側滑車部１２２によって、「転がり摩擦力」によりリクライニングチェアがよりスムーズにスライドできる。
また、１０９はリクライニングチェア全体であり、種々の形状のものが市販されているが、例示として図１〜６に示される。図６に示される１３０はリクライニングチェアを使用する者であり、１２３はリクライニングチェアを使用する者１３０の頭部を支えるリクライニングチェアの頭支持部であり、１２４は頭支持部１２３を上部嵌合部１１７に固定するための頭支持部固定ピンである。また該頭支持部１２３は、リクライニングチェアの背もたれ部１０２の上端に接合され、リクライニングの力をリクライニングチェア格納具の壁側に押し付ける事により、リクライニングチェアのスライドする力と連動した上下運動をする。
上部嵌合部１１７は、上部嵌合部上ピン１１２、中ピン１１１及び下ピン１１３によって、リクライニングチェア格納具固定部１１５に上下に可動する状態で嵌合されるが、一方、リクライニングチェアの頭支持部１２３は、頭支持部固定ピン１２４を通して上部嵌合部１１７に嵌合され、リクライニングチェア１０９の背もたれ部１０２を保持する。上部嵌合部１１７は、背もたれ部１０２がリクライニングの程度に応じて上下の動くことに連動して、リクライニングチェア格納具固定部１１５上を上下に動くことができる。
一般に、リクライニングチェアは使用していない又はリクライニングしていない時には、リクライニングチェア本体の裏側（図１及び２に示す部屋の壁１０７側）のスペースが無駄になっている。しかし、本発明に係るリクライニングチェア格納具を使用してリクライニングチェアを使用する場合には、リクライニングに応じて必要な分を該裏側の方向にリクライニングチェア本体を容易に移動させることができる。すなわち、リクライニングしない時にはリクライニングチェア本体を部屋の壁１０７側に近づけて置けることにより、無駄なスペースを取り除くことが容易にできる。
【実施の形態２】
【００１７】
図３は本発明に係るリクライニングチェア格納具の実施の形態２を示す簡略側面図（部屋の床及び部屋の壁のみ、図５のＡ−Ａ線断面図）である。
図３において、
１０１は本発明に係るリクライニングチェアの右側部であり、
１０２は本発明に係るリクライニングチェアの背もたれ部であり、
１０３は本発明に係るリクライニングチェアの袖部であり、
１０４は本発明に係るリクライニングチェアの座面部であり、
１０５は本発明に係るリクライニングチェアの脚保持部であり、
１０７は部屋の壁であり、
１１１は上部嵌合部中ピンであり、
１１２は上部嵌合部上ピンであり、
１１３は上部嵌合部下ピンであり、
１１４はリクライニングチェア引き戻し部であり、
１１５はリクライニングチェア格納具固定部であり、
１１６は上部嵌合部接合部であり、
１１７は上部嵌合部であり、
１１８は下部嵌合部であり、
１１９は下部嵌合部滑車であり、
１２０は部屋の床であり、
１２１はリクライニングチェア格納具床スライド用壁側滑車部であり、
１２２はリクライニングチェア格納具床スライド用リクライニングチェアーの脚保持部側滑車部であり、
１２３はリクライニングチェアの頭支持部であり、
１２４は頭支持部固定ピンであり、
１２５はリクライニングチェア格納具スライド部である。図３及び４においてスライド部１２５は壁側車輪部１２１と脚保持部側車輪部１２２を有するが、スライド部はこの形状に限定されるものではなく、格納具の床側設置部１２７をガイドレールとしてベアリング等でスライドさせる形状であっても良い。
１２７は格納具の床側設置部であり、１２８は格納具の壁側設置部であり、格納具の壁側設置部１２８はリクライニングチェア格納具のＬ状基板のうち部屋の壁１０７と略平行に設置する基板であり、格納具の床側設置部１２７は、部屋の床１２０と略平行に設置する基板である。
本発明に係るリクライニングチェアの側部１０１は、リクライニングチェアを使用する者を側部から支えるものであり、リクライニングチェアの側部１０８は、本発明に係るリクライニングチェアの側部１０１と同様に反対の側面からリクライニングチェアを使用する者を側部から支えるものであり、リクライニングチェアーの背もたれ部１０２はリクライニングチェアーの背もたれ部であり、リクライニングチェアを使用する者の背中を支えるものであり、リクライニングチェアーの袖部１０３はリクライニングチェアを使用する者の腕を支えるものであり、リクライニングチェアーの座面部１０４はリクライニングチェアを使用する者のお尻の部分を保持するものであり、リクライニングチェアーの脚保持部１０５はクライニングチェアを使用する者の足を保持し、場合によってはクライニングチェアを使用する者の足をマッサージするものである。
１０７はリクライニングチェアが設置されている部屋の壁であり、
１１５は格納具固定部であり、クライニングチェアが設置されている格納具の壁側設置部１２８に固定している。１１６はリクライニングチェア格納具上部嵌合部接合部であり、上部嵌合部１１７内にあり、上部嵌合部１１７の上ピン１１２によって、リクライニングチェア格納具のリクライニングチェア格納具固定部１１５に嵌合している。
上部嵌合部の下部ピン１１３は上部嵌合部１１７によって、リクライニングチェア格納具を構成するリクライニングチェア格納具固定部１１５に嵌合され、リクライニングチェア上部嵌合部１１７はリクライニングチェア格納具１００の縦方向に設置された基板１２８に嵌合している。
【００１８】
また、リクライニングチェア格納具上部嵌合部接合部１１６はリクライニングチェア引き戻し部１１４に嵌合し、さらに、上部嵌合部１１７は上部嵌合部上ピン１１２によって、リクライニングチェア格納具固定部１１５に嵌合されている。上部嵌合部中ピン１１１及び上部嵌合部下ピン１１3についても同様である。さらに、該上部嵌合部接合部１１６は上部嵌合部１１７を通して嵌合するリクライニングチェア格納具固定部１１５によって、格納具の壁側設置部１２８に嵌合されている。
【００１９】
１１８は下部嵌合部であり、リクライニングチェアが設置されている格納具の壁側設置部１２８に固定している。下部嵌合部滑車１１９はリクライニングチェアが設置されている下部嵌合部１１８に設置された滑車である。該下部嵌合部滑車１１９は下部嵌合部１１８を通じてリクライニングチェアが設置されているリクライニングチェア格納具１００の基板１２８に固定されている。なお、下部嵌合部１１８は図３，４に示されるように壁側設置部１２８に嵌合されるのが望ましいが、床側固定部１２７上に設置されても良い。
部屋の床１２０はリクライニングチェア格納具が設置されている部屋の床であり、リクライニングチェア格納具床スライド用壁側滑車部１２１は、滑車の「転がり摩擦力」を利用して、リクライニングチェアがよりスムーズにスライドできるようにしている。
【００２０】
リクライニングチェアーの脚保持部１０５はリクライニングチェアーの脚保持部であリクライニングチェアを使用する者の足を保持し、時にはクライニングチェアを使用する者の足をマッサージするものである。また、リクライニングチェア１０９の背もたれ部１０２と座面部１０４はクライニングチェアを使用する者の体を必要に応じてマッサージするものである。１２７と１２８はリクライニングチェア格納具のＬ字状の基板である。１２７はリクライニングチェア格納具が設置されている部屋の壁１０７に垂直方向に接するように設置されているリクライニングチェア格納具の床側設置部１２７である。
【００２１】
上部嵌合部上ピン１１２は上部嵌合部１１７の上ピンであり、このピンによって、リクライニングチェア格納具のリクライニングチェア格納具固定部１１５に嵌合しており、上部嵌合部の下部ピン１１３は上部嵌合部１１７によって、リクライニングチェア格納具を構成するリクライニングチェア格納具固定部１１５に嵌合され、また、上部嵌合部接合部１１６はリクライニングチェア上部嵌合部１１７内に設置され、上部嵌合部１１７を通じて格納具固定部１１５に嵌合され、リクライニングチェア格納具１００の縦方向に設置された基板１２８に嵌合している。
【００２２】
さらに、上部嵌合部接合部１１６はリクライニングチェア引き戻し部１１４の一方の端を固定することにより、引き戻し部１１４に連結している。上部嵌合部１１７は、上部嵌合部上ピン１１２及び上部嵌合部下ピン１１３によって、リクライニングチェア格納具の基板１２８に固定されているリクライニングチェア格納具固定部１１５に嵌合していることにより、リクライニングチェア引き戻し部１１４の動きに応じて、上部嵌合部１１７はリクライニングチェア格納具固定部１１５上を安定して上下に自在に動くことが出来る。  
【００２３】
また、リクライニングチェア格納具はリクライニングチェア格納具床スライド用壁側滑車部１２１の滑車を使用することにより、「転がり摩擦力」を利用して、摩擦係数が小さく、リクライニングチェアがよりスムーズにスライドできる。リクライニングチェア格納具床スライド用リクライニングチェア脚保持部側滑車部１２２についても同様である。
【００２４】
リクライニングチェア引き戻し部１１４は単なるロープ又は、スプリングやバネのような弾性体により構成され、一方の端をスライド部１２５に連結されるとともに、他方の端は上部嵌合部接合部１１６に固定されている。また、該引き戻し部１１４は上部嵌合部接合部１１６を通じて上部嵌合部１１７に嵌合している。該上部嵌合部１１７は縦方向（床に対して垂直方向）に設置されたリクライニングチェア格納具固定部１１５に嵌合し、可動状態を保ちつつ固定されているため、上部嵌合部１１７はリクライニングに応じた引き戻し部１１４の動きに連動して、格納具固定部１１５上を上下に動くことができ、リクライニングチェアはリクライニングに応じた縦方向の上下運動をスムーズに行うことができる。リクライニングチェア１０9は該引き戻し部１１４の働きにより、リクライニングチェア格納具１００に床に対して垂直方向に接するように設置されたリクライニングチェア格納具のＬ状基板である格納具壁側設置部１２８に引き戻される。この機能によりリクライニングチェアを使用する者は、容易にリクライニングチェアをリクライニングチェア格納具１００に収納することができる。
【００２５】
１１８はリクライニングチェア格納具が設置されている部屋の床１２０に垂直方向に接するように設置されるリクライニングチェア格納具のＬ状基板１２８の下部に設置されたリクライニングチェア格納具への下部嵌合部であり、該嵌合部により、リクライニングチェア引き戻し部１１４を通して、リクライニングチェア格納具スライド部１２５に連結される。該リクライニングチェア引き戻し部１１４は「単なるロープ又は、スプリングやバネのような弾性体」により構成してもよい。この場合にはリクライニングチェア格納具１００を使用する者は自分でリクライニングチェアー１０９をリクライニングチェア格納具１００に戻す必要がなく便利である。図で説明すれば、図4のリクライニングチェア１０９でリクライニングしている状態を、図３のリクライニングチェアをリクライニングチェア格納具壁側設置部１２８に戻している状態に自動で戻り、便利である。その結果リクライニングチェアを使用する者は、容易にリクライニングチェアをリクライニングチェア格納具１００に収納することができる。
【００２６】
図５は本発明に係るリクライニングチェア格納具の簡略正面図（部屋の床のみ断面図）である。リクライニングチェア格納具の床スライド用壁側滑車部１２１はリクライニングチェア格納具の床スライド用脚保持部側滑車部１２２に重なっているため図５では見えないが、１２１，１２２及びスライド部１２５はリクライニングチェアーの左右袖部の下側にそれぞれ設置されている。
図６は本発明に係るリクライニングチェア格納具の簡略斜視図であって、リクライニングチェアを使用する者がリクライニングチェアを使用している様子を示す簡易説明図である。１３０はリクライニングチェアを使用する者である。
【００２７】
なお、本発明のリクライニングチェア格納具１００は、大部分の市販のリクライニングチェアー１０９に対応できることに特徴があり、一方、本明細書に記載されたリクライニングチェアは公知のリクライニングチェアー１０９の例示であり、詳細な説明は割愛する。
【産業上の利用可能性】
【００２８】
本発明のリクライニングチェア格納具を利用することにより、リクライニングチェアを設置するために占有する場所をより小さくしてコンパクトに設置できることにより、多くの人々がリクライニングチェアを購入すると思われ、リクライニングチェアの増産につながり、産業の発達に寄与すると考えられる。
【符号の説明】
【００２９】
１００      リクライニングチェア格納具
１０１      リクライニングチェアーの右側部
１０２      リクライニングチェアーの背もたれ部
１０３      リクライニングチェアーの袖部
１０４      リクライニングチェアーの座面部
１０５      リクライニングチェアーの脚保持部
１０６      リクライニングチェア格納具のスライド部
１０７      部屋の壁
１０８      リクライニングチェアーの左側部
１０９      リクライニングチェアー
１１１      上部嵌合部中ピン
１１２      上部嵌合部上ピン
１１３      上部嵌合部下ピン
１１４      リクライニングチェア引き戻し部  
１１５      リクライニングチェア格納具固定部
１１６      上部嵌合部接合部
１１７      上部嵌合部
１１８      下部嵌合部
１１９      下部嵌合部滑車
１２０      部屋の床
１２１      リクライニングチェア格納具床スライド用壁側滑車部
１２２      リクライニングチェア格納具床スライド用リクライニングチェアーの脚
保持部側滑車部
１２３      リクライニングチェア頭支持部
１２４      頭支持部固定ピン
１２５      リクライニングチェア格納具スライド部
１２７      格納具の床側設置部
１２８      格納具の壁側設置部
１３０      リクライニングチェアを使用する者
【図１】
2014039677.tif 000003
【図２】
2014039677.tif 000004
【図３】
2014039677.tif 000005
【図４】
2014039677.tif 000006
【図５】
2014039677.tif 000007
【図６】
2014039677.tif 000008